(57)【特許請求の範囲】
【請求項１】
シリンダボディに装着され、該シリンダボディに配設されたロータのキー孔を外側から開閉するシャッターを有してシリンダ錠を保護し得るシリンダ錠の保護装置であって、
前記シャッターを手動操作により移動させ、前記キー孔を開閉する手動操作機構と、
前記シャッターを遠隔操作によって駆動するモータで移動させ、前記キー孔を開閉する遠隔操作機構と、
前記シャッターの移動端で当該シャッターに係止して、更なる移動を規制するロック部材と、
を備え、前記シャッターが手動操作及び遠隔操作で移動し、いずれの操作によっても前記キー孔に対する開閉両方の動作を行い得るものであり、
前記手動操作機構は、前記シャッターの上面側に配設され、当該シャッターを連動させ得る手動用連動板材を有するとともに、前記遠隔操作機構は、前記シャッターの下面側に配設され、前記モータで駆動されて当該シャッターを連動させ得る遠隔用連動板材を有し、手動操作時においては前記手動用連動板材、遠隔操作時においては前記遠隔用連動板材を選択的に移動させることを特徴とするシリンダ錠の保護装置。
【請求項２】
前記ロック部材は、
付勢手段を有し、該付勢手段で先端側に付勢されて配設されるとともに、その先端が前記シャッターに係止して、前記シャッターの移動を規制するロック部と、
該ロック部の上下面に形成され、前記手動用連動板材及び遠隔用連動板材の移動時にこれら板材から押圧されて前記ロック部と共に付勢手段による付勢方向に抗して移動する解除部と、
を具備したものであり、
前記シャッターに前記手動用連動板材及び遠隔用連動板材の移動方向に延びる長孔が形成されるとともに、該長孔に嵌入される凸部を前記手動用連動板材及び遠隔用連動板材のそれぞれに形成し、
前記手動用連動板材及び遠隔用連動板材が前記解除部を押圧してシャッターのロックを解除する間は、当該シャッターを停止させたまま手動用連動板材又は遠隔用連動板材のみが移動し、更なる手動用連動板材又は遠隔用連動板材の移動により前記凸部が前記長孔の端部と当接し、前記シャッターを連動させてキー孔を開閉させることを特徴とする請求項１記載のシリンダ錠の保護装置。
【請求項３】
前記ロック部材は、金属から成るロック部の上下面に樹脂から成る解除部がそれぞれ形成され一体化されたものであることを特徴とする請求項２記載のシリンダ錠の保護装置。
【請求項４】
前記モータの出力軸に一部突起した回転板を設け、該回転板をモータの駆動力で回転させるとともに、前記遠隔用連動板材に当該回転板の突起と当接し得る突出部を形成したことを特徴とする請求項１〜請求項３のいずれか１つに記載のシリンダ錠の保護装置。
【請求項５】
前記遠隔用連動板材は、ねじりバネにより常に中立位置へ付勢された状態で取り付けられたことを特徴とする請求項４記載のシリンダ錠の保護装置。
【発明の詳細な説明】
【０００１】
【発明の属する技術分野】
本発明は、自動二輪車等に装備されるシリンダ錠の破壊等を防止し得るシリンダ錠の保護装置に関する。
【０００２】
【従来の技術】
従来、第三者によるはさみやドライバ等のキー孔への差し込みで自動二輪車等のシリンダ錠が破壊されるのを防止するために、例えば特開平１１−４４１３２号公報で開示されたものが提案されている。かかる保護装置は、手動操作によってシリンダ錠の頭部上面においてロック位置（セット位置）とアンロック位置（リセット位置）との間を移動してロータ上面のキー孔を開閉し得るシャッターと、該シャッターをロック位置に保持することによりキー孔を閉塞して施錠するマグネット錠と、つまみ部に設けられた磁石の磁気によってマグネット錠を解錠するイグニッションキーとを具備して構成されていた。
【０００３】
【発明が解決しようとする課題】
しかしながら、上記従来のシリンダ錠の保護装置においては、イグニッションキーのつまみ部に設けられた磁石の磁気によって、手動操作でマグネット錠（即ちシャッター）を開閉操作する構造であるため、つまみ部をマグネット錠のマグネットキー孔に一々差し込んでマグネット錠を解錠する必要がある。
【０００４】
このため、イグニッションキーによるマグネット錠の解錠操作が非常に面倒となり、特に暗い場所においては、マグネットキー孔を手探り状態で探し、これにイグニッションキーのつまみ部を差し込む必要があることから、その操作が一層面倒になってしまうという問題があった。
【０００５】
本発明は、このような事情に鑑みてなされたもので、シャッターによるキー孔の開閉動作を手動操作と遠隔操作の両方で行うことにより、操作性を向上させることができるシリンダ錠の保護装置を提供することにある。
【０００６】
【課題を解決するための手段】
請求項１記載の発明は、シリンダボディに装着され、該シリンダボディに配設されたロータのキー孔を外側から開閉するシャッターを有してシリンダ錠を保護し得るシリンダ錠の保護装置であって、前記シャッターを手動操作により移動させ、前記キー孔を開閉する手動操作機構と、前記シャッターを遠隔操作によって駆動するモータで移動させ、前記キー孔を開閉する遠隔操作機構と、前記シャッターの移動端で当該シャッターに係止して、更なる移動を規制するロック部材とを備え、前記シャッターが手動操作及び遠隔操作で移動し、いずれの操作によっても前記キー孔に対する開閉両方の動作を行い得るものであり、前記手動操作機構は、前記シャッターの上面側に配設され、当該シャッターを連動させ得る手動用連動板材を有するとともに、前記遠隔操作機構は、前記シャッターの下面側に配設され、前記モータで駆動されて当該シャッターを連動させ得る遠隔用連動板材を有し、手動操作時においては前記手動用連動板材、遠隔操作時においては前記遠隔用連動板材を選択的に移動させることを特徴とする。
【０００７】
かかる構成によれば、手動で手動操作機構を操作することによりシャッターを移動させてキー孔を開閉させた後、ロック部材にて当該シャッターをロックする一方、遠隔操作する場合は、モータで動作する遠隔操作機構がシャッターを移動させてキー孔を開閉させた後、ロック部材にて当該シャッターをロックする。これら手動操作と遠隔操作との切り換えは、操作者が任意に行うことができ、いずれの操作によってもキー孔に対する開閉両方の動作が行われる。
【０００９】
また、手動操作する場合は、手動で手動用連動板材を移動させることによりシャッターを連動させ、キー孔を開閉させた後、ロック部材にて当該シャッターをロックする一方、遠隔操作する場合は、モータで動作する遠隔操作機構が遠隔用連動板材を移動させ、該移動と連動するシャッターでキー孔を開閉させた後、ロック部材にて当該シャッターをロックする。
【００１０】
請求項２記載の発明は、前記ロック部材が、付勢手段を有し、該付勢手段で先端側に付勢されて配設されるとともに、その先端が前記シャッターに係止して、前記シャッターの移動を規制するロック部と、該ロック部の上下面に形成され、前記手動用連動板材及び遠隔用連動板材の移動時にこれら板材から押圧されて前記ロック部と共に付勢手段による付勢方向に抗して移動する解除部とを具備したものであり、前記シャッターに前記手動用連動板材及び遠隔用連動板材の移動方向に延びる長孔が形成されるとともに、該長孔に嵌入される凸部を前記手動用連動板材及び遠隔用連動板材のそれぞれに形成し、前記手動用連動板材及び遠隔用連動板材が前記解除部を押圧してシャッターのロックを解除する間は、当該シャッターを停止させたまま手動用連動板材又は遠隔用連動板材のみが移動し、更なる手動用連動板材又は遠隔用連動板材の移動により前記凸部が前記長孔の端部と当接し、前記シャッターを連動させてキー孔を開閉させることを特徴とする。
【００１１】
かかる構成によれば、シャッターを移動させキー孔を閉塞するには、手動又は遠隔操作によるモータの駆動で手動用連動板材又は遠隔用連動板材を移動させ、各々に形成された凸部をシャッターの長孔端部と当接させて当該シャッターを連動させてキー孔を覆う位置まで移動させる。この位置では、ロック部材のロック部がシャッターに係止して、シャッターの移動を規制している。
【００１２】
手動操作にてキー孔を閉塞したシャッターを移動させる場合、手動用連動板材を手動にて移動させると、ロック部材の解除部が付勢手段による付勢力に抗して移動し、これと連動してロック部材のロック部も同方向に移動してシャッターとの係止が解除される。かかる係止の解除までの間は、手動用連動板材に形成された凸部が長孔に沿って移動するのみであり、シャッターを停止させたまま手動用連動板材が移動することとなる。
【００１３】
そして、係止の解除が完了した時点で手動用連動板材の凸部が長孔の端部に達し、更なる手動用連動板材の移動でシャッターが連動することとなる。即ち、凸部が長孔の端部と当接し、その当接箇所で手動用連動板材の移動がシャッターに伝達されるのである。
【００１４】
一方、遠隔操作にてキー孔を閉塞したシャッターを移動させる場合、遠隔用連動板材を遠隔操作で駆動するモータで移動させると、ロック部材の解除部が付勢手段による付勢力に抗して移動し、これと連動してロック部材のロック部も同方向に移動してシャッターとの係止が解除される。かかる係止の解除までの間は、遠隔用連動板材に形成された凸部が長孔に沿って移動するのみであり、シャッターを停止させたまま遠隔用連動板材が移動することとなる。そして、係止の解除が完了した時点で遠隔用連動板材の凸部が長孔の端部に達し、手動操作の場合と同様、更なる遠隔用連動板材の移動でシャッターが連動することとなる。
【００１５】
請求項３記載の発明は、前記ロック部材が、金属から成るロック部の上下面に樹脂から成る解除部がそれぞれ形成され一体化されたものであることを特徴とする。
【００１６】
請求項４記載の発明は、前記モータの出力軸に一部突起した回転板を設け、該回転板をモータの駆動力で回転させるとともに、前記遠隔用連動板材に当該回転板の突起と当接し得る突出部を形成したことを特徴とする。
【００１７】
請求項５記載の発明は、前記遠隔用連動板材が、ねじりバネにより常に中立位置へ付勢された状態で取り付けられたことを特徴とする。
【００１８】
【発明の実施の形態】
以下、本発明の実施形態について図面を参照しながら具体的に説明する。
本実施形態に係るシリンダ錠の保護装置は、シリンダボディに配設されたロータのキー孔を外側から開閉してシリンダ錠を保護し得るもので、図１に示すように、シャッター２と、手動用連動板材３と、遠隔用連動板材４と、モータ８とから主に構成されている。
【００１９】
シャッター２、手動用連動板材３及び遠隔用連動板材４は、シャッター２を中央に３層に重ねられて配設されており、ケース９から上方へ延設された回転軸９ａを中心にそれぞれ独立して回動自在とされている。かかる回転軸９ａの上端面には、複数の磁石１３がコイルスプリング１４を介して上下動可能にそれぞれ嵌挿されている。
【００２０】
また、ケース９にはイグニッションキーを挿通するためのシリンダボディ５が固定されるとともに、遠隔用連動板材４を駆動するためのモータ８が固定されている。このケース９の上面は、非磁性材料で形成されたカバー１０により覆われており、かかるカバー１０の上面にはロータ６のキー孔７に通じる孔１５と上下が切り欠かれたマグネットキー孔１２とが形成され、それぞれにイグニッションキー及びマグネットキーが挿入し得るよう構成されている。
【００２１】
シャッター２は、ロータ６のキー孔７を外側から開閉するものであり、図３で示すように、キー孔７を遮蔽し得る大きさに形成された遮蔽部２ａと、回転軸９ａを挿通する軸用孔２ｂと、長孔２ｃとから主に構成されており、外周の一部には第１の切欠き２ｄ及び第２の切欠２ｅが所定間隔離間して形成されている。尚、上下面に後述する手動用連動板材３及び遠隔用連動板材４が組み付けられた際に、当該長孔２ｃ内に各板材に形成された凸部３ｃ及び４ｃが嵌入される。
【００２２】
手動用連動板材３は、シャッター２を連動させ得る板状部材であり、図４で示すように、２つの脚部３ａ同士を結ぶ外周面が緩やかな曲線を成すよう構成されており、かかる曲線は後述するロック部材１９の解除部１９ｂ先端が摺動し得る摺動面３ｂを構成している。また、その上面には、マグネットキーを嵌合し得る形状３ｄが造り込まれている。
【００２３】
更に、手動用連動板材３の下面において、２つの脚部３ａの境目箇所近傍には所定寸法突起した凸部３ｃが形成されており、中央近傍には複数の磁石１３のそれぞれを嵌合し得る複数の凹部３ｅが形成されている。これにより、磁石１３が凹部３ｅに嵌合した状態では、手動用連動板材３が動作しないようロックすることができ、マグネットキーＭＫが形状３ｄに嵌入されると、内在するマグネットＭからの反発力で磁石１３がコイルスプリング１４の付勢力に抗して下方へ移動し（図８参照）、係止を解いて手動用連動板材３を動作可能とすることができる。
【００２４】
また、手動用連動板材３の下面には、回転軸９ａを先端を嵌合し得る凹部３ｆが形成されており、かかる嵌合により当該手動用連動板材３が回転軸９ａを軸に回動自在とされている。そして、手動用連動板材３の回動により、磁石１３を凹部３ｅに嵌入又は離脱させて当該手動用連動板材３をロック又はアンロック状態とする。尚、上記手動用連動板材３を含む操作機構が、シャッター２を手動操作により移動させ、キー孔を開閉するための遠隔操作機構を構成する。
【００２５】
遠隔用連動板材４は、手動用連動部材３と同様、シャッター２を連動させ得る板状部材であり、図５に示すように、２つの脚部４ａ同士を結ぶ外周面が緩やかな曲線を成すよう構成されており、かかる曲線は後述するロック部材１９の解除部１９ｃ先端が摺動し得る摺動面４ｂを構成している。尚、かかる摺動面４ｂを含めた輪郭形状は、手動用連動部材３と略同一である。
【００２６】
遠隔用連動板材４の上面における２つの脚部４ａの境目箇所近傍には所定寸法突起した凸部４ｃが形成されており、その下面における中央近傍にはＣ字形状の壁面４ｄが形成され、該壁面４ｄの一部からは更に突出した突出部４ｅが形成されている。また、該壁面４ｄの内側には、回転軸９ａを挿通する中央孔４ｆが形成されている。
【００２７】
更に、遠隔用連動板材４の壁面４ｄと、ケース９から突設され当該壁面４ｄの外周面を囲んでガイドするガイド壁９ｂ（図１８〜図２０参照）とに亘って配設されたねじりバネ１１により、遠隔用連動板材４は常に中立位置へ付勢された状態で取り付けられている。即ち、ねじりバネ１１の一端が壁面４ｄに係止されるとともに、他端がガイド壁９ｂに係止されることにより、遠隔用連動板材４が回動すると、その回動方向と逆向きに付勢力を生じさせているのである。
【００２８】
遠隔用連動板材４を回動させるための駆動力は、図６で示すような、モータ８の出力軸８ａに取り付けられたカム１７によって得られる。かかるカム１７は、一部が突起した回転板から構成され、突起１７ａが遠隔用連動板材４の突出部４ｅと当接することにより、モータ８の回転駆動力を遠隔用連動板材４に伝達し得るよう構成されている。
【００２９】
尚、モータ８は、過大な負荷を受けた際（例えば、イグニッションキーをキー孔７に差し込んだ状態でシャッター２を閉じようとした場合等）に回転が停止するようにポリスイッチを具備するとともに、マイクロスイッチを具備して常に所定位置で停止するよう制御されている。かかるマイクロスイッチにより、モータ８は、次に説明するリモコン１８から信号が送信されると１回転し、所定位置で停止することとなる。
【００３０】
また、モータ８は、図９に示すようなリモコン１８により遠隔操作されるよう構成されており、押しボタン１８ａを押すとキー孔７を開放する方向にシャッター２を移動させ、押しボタン１８ｂを押すとキー孔７を閉塞する方向にシャッター２を移動させるよう信号が送信される。かかる信号の送信は、リモコン１８内に配設された電波発信手段により行われ、該電波発信手段で発信された電波によってモータ８の回転方向が制御される。
【００３１】
このように電波によるモータ８の遠隔操作に代えて、赤外線等他の遠隔操作手段としてもよいが、電波の場合、電波の受信部（モータ８又はケース９内に配設）にリモコン１８を向けなくても信号を送信することができ、操作性を向上させることができる。尚、リモコン１８は、イグニッションキーとは別個に形成してもよいが、例えばイグニッションキーのつまみ部内に配設するようにしてもよい。
【００３２】
尚、上記遠隔用連動板材４を含む操作機構（リモコン１８やモータ８等による一連の機構）が、遠隔操作によって駆動するモータでシャッター２を移動させ、キー孔を開閉するための遠隔操作機構を構成する。
【００３３】
ロック部材１９は、シャッター２の回動端（移動端）で当該シャッター２における第１の切欠き２ｄ又は第２の切欠き２ｅに係止して、その更なる回動を規制するロック部１９ａを含んで構成されるもので、図７に示すように、付勢手段としてのコイルスプリング１９ｄで付勢されつつケース９に成形された収容壁１６内に収容されている。尚、コイルスプリング１９ｄに代えて他の付勢手段（板バネ等）としてもよい。
【００３４】
更に、ロック部１９ａの上下面には、手動用連動板材３及び遠隔用連動板材４の移動時にこれら板材から押圧されてロック部１９ａと共にコイルスプリング１９ｄによる付勢方向に抗して移動する解除部１９ｂ、１９ｃを具備している。この解除部１９ｂ及び１９ｃは、樹脂を成形して得られるとともに、ロック部１９ａはダイキャスト等金属を成形して得られ、これらがビスＢにより一体化され、全体としてロック部材１９を構成している。尚、かかる３層構造のロック部材１９に代えて、全てが樹脂又は金属から成る一体成形品としてもよいし、ビスＢに代えてスプリングピンや接着或いはアウトサート成形等の手段により一体化してもよい。
【００３５】
次に、上記構成のシリンダ錠の保護装置における作用について説明する。
まず、手動操作によるシャッター２の開閉動作について説明すると、シャッター２を閉じてキー孔７を保護するには、イグニッションキーのつまみ部等に形成されたマグネットキーＭＫをマグネットキー孔１２から挿入し、手動用連動板材３の上面に形成された形状３ｄに嵌合する。これにより、マグネットキーＭＫ内に形成されたマグネットＭに対し同極（更に詳しくは、対向する面側の極が互いに同極）の磁石１３が反発力を受け、図８に示すように、コイルスプリング１４による付勢力に抗して下方へ移動し、凹部３ｅとの係止が解かれる。
【００３６】
この状態のままマグネットキーＭＫを回転させて、手動用連動板材３を連動させると、ロック部材１９における解除部１９ｂ（図７参照）が摺動面３ｂ上を摺動しつつコイルスプリング１９ｄの付勢力に抗してロック部１９ａと共に移動し、図１４の状態からロック部１９ａが移動し、該ロック部１９ａによるシャッター２に対する係止が解かれる。
【００３７】
即ち、初期状態においては、シャッター２に形成された第２の切欠き２ｅにロック部材１９のロック部１９ａが係止（図１４参照）されており、シャッター２はロックされた状態であったのに対し、マグネットキーＭＫによる上記一連の動作によりロックが解除され回動自在とされるのである。尚、かかる動作においては、手動用連動板材３が回転しても凸部３ｃが長孔２ｃ内を移動するだけであって、シャッター２は停止したままである。
【００３８】
更に手動用連動板材３を同方向に回転させると、凸部３ｃが長孔２ｃの端部に当接して、当該手動用連動板材３の回転と共にシャッター２も回転することとなる。そして、シャッター２の遮蔽部２ａがキー孔７を完全に閉塞した状態に至ると、ケース９に形成されたストッパ９ｃにシャッター２が当接し、更なる回転が規制されて停止する。
【００３９】
その後、マグネットキーＭＫを元の状態（マグネットキー孔１２への挿入状態）まで戻すと、ロック部材１９がコイルスプリング１９ｄによる付勢力で元の位置まで移動し、図１５で示すように、ロック部１９ａが第１の切欠き２ｄに係合する。これにより、シャッター２の動作は規制され、ロック状態とされる。また、この状態でマグネットキーＭＫをマグネットキー孔１２から引き抜くと、複数の磁石１３が凹部３ｅに嵌入して手動用連動板材３もロックされることとなる。
【００４０】
上記の如くシャッター２がキー孔７を閉塞した状態から開放した状態へ手動操作にて切り換えるには、マグネットキーＭＫをマグネットキー孔１２に差し込んで、複数の磁石１３による凹部３ｅへの係合を解いた後回転（閉塞時の回転とは逆向き）させ、手動用連動板材３を図１０の状態から図１１の状態とする。
【００４１】
即ち、手動用連動板材３を回転させる過程で、ロック部材１９の解除部１９ｂが摺動面３ｂ上を摺動し、図１０中ａ方向へ移動されるとともに、シャッター２をロックしていたロック部１９ａも図１２中ａ方向へ移動され、ロック部１９ａによる第１の切欠き２ｄに対する係止が解かれる。尚、かかる状態までは、凸部３ｃが長孔２ｃ内を移動するのみであるため、シャッター２は停止したままである。
【００４２】
更なる手動用連動板材３の同方向への回転により、凸部３ｃが長孔２ｃの端部に当接し、当該手動用連動板材３の回転と共にシャッター２を図１３中ｂ方向へ回転させることとなる。すると、シャッター２の遮蔽部２ａが移動して、キー孔７を開放し、イグニッションキーのキー孔７への挿入を可能とする。その後、マグネットキーＭＫを元の状態（マグネットキー孔１２への挿入状態）まで戻すと、ロック部材１９がコイルスプリング１９ｄによる付勢力で元の位置まで移動し、図１３で示した状態からロック部１９ａが第２の切欠き２ｅに係止する。これにより、シャッター２の動作は規制され、ロック状態とされる。また、この状態でマグネットキーＭＫをマグネットキー孔１２から引き抜くと、複数の磁石１３が凹部３ｅに嵌入して手動用連動板材３もロックされることとなる。
【００４３】
次に、遠隔操作によるシャッター２の開閉動作について説明すると、閉じられたシャッター２を移動し、キー孔７を開放するには、リモコン１８（図９参照）の押しボタン１８ａを押してモータ８を駆動させる。該モータ８の駆動により、図１８の如く、カム１７をｃ方向へ回転させ、その突起１７ａを遠隔用連動板材４の下方に延設された突出部４ｅに当接させる。すると、図１９に示すように、カム１７の回転力により遠隔用連動板材４がｅ方向へ回転し、図１６の状態から図１７の状態とされる。
【００４４】
かかる遠隔用連動板材４の回転の過程において、ロック部材１９の解除部１９ｃが摺動面４ｂ上を摺動し、図１６中ｆ方向へ移動されるとともに、シャッター２をロックしていたロック部１９ａも図１２中ａ方向へ移動され、ロック部１９ａによる第１の切欠き２ｄに対する係止が解かれる。尚、かかる状態までは、凸部４ｃが長孔２ｃ内を移動するのみであるため、シャッター２は停止したままである。
【００４５】
更なる遠隔用連動板材４の同方向への回転により、凸部４ｃが長孔２ｃの端部に当接し、当該遠隔用連動板材４の回転と共にシャッター２を図１３中ｂ方向へ回転させることとなる。すると、シャッター２の遮蔽部２ａが移動して、キー孔７を開放し、イグニッションキーのキー孔７への挿入を可能とする。
【００４６】
その後、カム１７は回転し続け、初期位置（図１８の状態）に戻った時点で停止して、次の回転動作指示を待つこととなる一方、遠隔用連動板材４は、ねじりバネ１１の付勢力により中立位置（図１８の状態）まで戻って、図１３で示すように、ロック部１９ａが第２の切欠き２ｅに係止する。これにより、シャッター２の動作は規制され、ロック状態とされる。
【００４７】
一方、開いたシャッター２を移動し、キー孔７を閉塞するには、リモコン１８の押しボタン１８ｂを押してモータ８を駆動させ、カム１７を図１８中ｄ方向に回転させる。カム１７の回転途中において、その突起１７ａが遠隔用連動板材４の突出部４ｅに当接し、図２０に示すように、カム１７の回転力により遠隔用連動板材４がｇ方向へ回転させることにより、シャッター２を連動させてキー孔７を閉塞させる。このシャッター２の連動は、上述した動作と略同様（回転方向が逆ではあるが）であるため、説明を省略する。
【００４８】
本実施形態によれば、シャッター２に長孔２ｃを設け、該長孔２ｃに手動用連動板材３及び遠隔用連動板材４の凸部３ｃ、４ｃを挿通させた構成としているので、手動用連動板材３又は遠隔用連動板材４でロック部１９ａによる係止を解くまで、シャッター２を停止させたまま手動用連動板材３又は遠隔用連動板材４を回転させることができ、更なる手動用連動板材３又は遠隔用連動板材４の回転によりシャッター２の開閉動作を行わせることができる。
【００４９】
また、ロック部材１９が、金属製のロック部１９ａと、その両面に形成された樹脂製の解除部１９ｂ、１９ｃとから構成されているので、ロック部１９ａによるシャッター２（第１の切欠き２ｄ及び第２の切欠き２ｅ）への係止を確実に行わせることができるとともに、解除部１９ｂ、１９ｃによる摺動面３ｂ、４ｂ上での摺動を円滑に行わせることができる。即ち、シャッター２のロック手段としては、剛性の高い材質のものが好ましく、摺動面３ｂ、４ｂ上の摺動手段としては、軟質のものが好ましいため、本実施形態の如く３層構造として各々の材質を適したものにすれば、両者の要求を満たすことができるのである。
【００５０】
以上、本実施形態について説明したが、本発明はこれに限定されるものではなく、例えばシャッターが手動操作及び遠隔操作で移動し、いずれの操作によってもキー孔に対する開閉両方の動作を行い得るものであれば、手動操作機構又は遠隔操作機構を他の機構としてもよい。また、本実施形態においては、シャッター、手動用連動板材及び遠隔用連動板材が回転軸を中心に回動するものであるが、スライド動作等して各機能を果たすものであってもよい。
【００５１】
【発明の効果】
請求項１の発明によれば、手動操作と遠隔操作との切り換えは、操作者が任意に行うことができ、いずれの操作によってもキー孔に対する開閉両方の動作を行うことができるので、シリンダ錠の保護装置の操作性を向上させることができる。
【００５２】
更に、シャッターを移動させるための手段を手動用連動板材と遠隔用連動板材とに分け、それぞれが手動操作時又は遠隔操作時に駆動するよう構成されているので、簡単な構成でいずれの操作によってもキー孔に対する開閉両方の動作を行うシリンダ錠の保護装置を提供することができる。
【００５３】
請求項２の発明によれば、ロック部材によるシャッターのロックを手動用連動板材及び遠隔用連動板材の動作と連動させて開錠することができるので、簡単な構成でいずれの操作によってもキー孔に対する開閉両方の動作を行わせることができるシリンダ錠の保護装置を提供することができる。
【００５４】
請求項３の発明によれば、ロック部材におけるロック部が金属から成るとともに解除部が樹脂から成るので、シャッターとの係止を確実なものとすることができるとともに、手動用連動板材又は遠隔用連動板材との摺動摩擦を低減することができる。
【００５５】
請求項４の発明によれば、遠隔用連動板材の突出部が回転板の突起と当接して移動する構成とされているため、簡単な構成で確実にモータの駆動力を遠隔用連動板材に伝達することができる。
【００５６】
請求項５の発明によれば、遠隔用連動板材がねじりバネにより常に中立位置へ付勢された状態で取り付けられているので、モータの駆動力が伝達されて移動した遠隔用連動板材がその駆動力から解放されると、付勢力で元の中立位置へ復帰することができる。従って、遠隔用連動板材を中立状態で待機させ、次の遠隔操作による動作を良好に行わせることができる。
【図面の簡単な説明】
【図１】本発明の実施形態に係るシリンダ錠の保護装置を示す断面図
【図２】本発明の実施形態に係るシリンダ錠の保護装置を示す上面図
【図３】本発明の実施形態に係るシリンダ錠の保護装置におけるシャッターを示す上面図
【図４】本発明の実施形態に係るシリンダ錠の保護装置における手動用連動板材を示す上面図及び下面図
【図５】本発明の実施形態に係るシリンダ錠の保護装置における遠隔用連動板材を示す上面図及び下面図
【図６】本発明の実施形態に係るシリンダ錠の保護装置におけるカム（回転板）及びモータを示す模式図
【図７】本発明の実施形態に係るシリンダ錠の保護装置におけるロック部材を示す模式図
【図８】本発明の実施形態に係るシリンダ錠の保護装置において、マグネットキーをマグネットキー孔に挿通した状態を示す断面模式図
【図９】本発明の実施形態に係るシリンダ錠の保護装置におけるリモコンを示す模式図
【図１０】本発明の実施形態に係るシリンダ錠の保護装置における手動用連動板材の作用を示すための説明図
【図１１】本発明の実施形態に係るシリンダ錠の保護装置における手動用連動板材の作用を示すための説明図
【図１２】本発明の実施形態に係るシリンダ錠の保護装置におけるシャッターの作用を示すための説明図
【図１３】本発明の実施形態に係るシリンダ錠の保護装置におけるシャッターの作用を示すための説明図
【図１４】本発明の実施形態に係るシリンダ錠の保護装置におけるシャッターの作用を示すための説明図
【図１５】本発明の実施形態に係るシリンダ錠の保護装置におけるシャッターの作用を示すための説明図
【図１６】本発明の実施形態に係るシリンダ錠の保護装置における遠隔用連動板材の作用を示すための説明図
【図１７】本発明の実施形態に係るシリンダ錠の保護装置における遠隔用連動板材の作用を示すための説明図
【図１８】本発明の実施形態に係るシリンダ錠の保護装置における遠隔用連動板材及びカムの作用を示すための説明図
【図１９】本発明の実施形態に係るシリンダ錠の保護装置における遠隔用連動板材及びカムの作用を示すための説明図
【図２０】本発明の実施形態に係るシリンダ錠の保護装置における遠隔用連動板材及びカムの作用を示すための説明図
【符号の説明】
１…シリンダ錠の保護装置
２…シャッター
３…手動用連動板材
４…遠隔用連動板材
５…シリンダボディ
６…ロータ
７…キー孔
８…モータ
８ａ…出力軸
９…ケース
９ａ…回転軸
９ｂ…ガイド壁
９ｃ…ストッパ
１０…カバー
１１…ねじりバネ
１２…マグネットキー孔
１３…磁石
１４…コイルスプリング
１５…孔
１６…収容壁
１７…カム（回転板）
１７ａ…突起
１８…リモコン
１８ａ、１８ｂ…押しボタン
１９…ロック部材
１９ａ…ロック部
１９ｂ…解除部
１９ｃ…解除部
１９ｄ…コイルスプリング
ＭＫ…マグネットキー
Ｍ…マグネット
【図１】
0003821427.tif 000002
【図２】
0003821427.tif 000003
【図３】
0003821427.tif 000004
【図４】
0003821427.tif 000005
【図５】
0003821427.tif 000006
【図６】
0003821427.tif 000007
【図７】
0003821427.tif 000008
【図８】
0003821427.tif 000009
【図９】
0003821427.tif 000010
【図１０】
0003821427.tif 000011
【図１１】
0003821427.tif 000012
【図１２】
0003821427.tif 000013
【図１３】
0003821427.tif 000014
【図１４】
0003821427.tif 000015
【図１５】
0003821427.tif 000016
【図１６】
0003821427.tif 000017
【図１７】
0003821427.tif 000018
【図１８】
0003821427.tif 000019
【図１９】
0003821427.tif 000020
【図２０】
0003821427.tif 000021